(57)【特許請求の範囲】
【請求項１】
タンク本体と、
前記タンク本体に巻回される清掃布と、
前記タンク本体の内側に配置されて、清掃布をサポートするための複数の支持フレームと伝動軸と、
前記伝動軸に接続されて、前記清掃布が前記タンク本体で循環的に移動するように駆動する駆動機構と、
前記清掃布の上方に設けられて、清掃布の表面の汚れをクリーニングするためのクリーニング機構と、
を備え、
複数の前記支持フレームは、前記清掃布が前記支持フレームの下方から通過するように、それぞれ前記タンク本体の内側における清掃布の移動方向での両側の底部に設けられることを特徴とする床洗浄装置。
【請求項２】
前記伝動軸の側に設けられて、清掃布を搾るための搾水棒を更に備えることを特徴とする請求項１に記載の床洗浄装置。
【請求項３】
前記駆動機構は、モータを含む請求項１に記載の床洗浄装置。
【請求項４】
前記クリーニング機構は、前記清掃布の表面に貼り合わせられるクリーニングブラシを含む請求項１に記載の床洗浄装置。
【請求項５】
前記クリーニング機構は、前記清掃布の中部に位置する請求項４に記載の床洗浄装置。
【請求項６】
前記清掃布の前記伝動軸に接触する側面に歯付ベルトが設けられ、前記伝動軸の両端に前記歯付ベルトに対応する凹溝が設けられる請求項１に記載の床洗浄装置。
【請求項７】
前記清掃布は、タンク本体の表面から突出するように、前記タンク本体の底部に合わせて設けられる請求項１に記載の床洗浄装置。
【請求項８】
前記搾水棒及び伝動軸と前記タンク本体との接続形態としては、軸受接続を含む請求項２に記載の床洗浄装置。
【請求項９】
前記タンク本体は、汚水タンクと浄水タンクを含む請求項１に記載の床洗浄装置。
【請求項１０】
前記タンク本体は、取り外し可能な構造であり、又は前記床洗浄装置と一体構造を形成する請求項１〜９の何れか１項に記載の床洗浄装置。
【発明の詳細な説明】
【技術分野】
【０００１】
本発明は、洗浄設備の技術分野に関し、特に、床洗浄装置に関する。
【背景技術】
【０００２】
科学技術の進歩に伴って、人々の生活レベルがますます高くなり、住環境もよく改善され、日々の仕事や生活において、床面の清掃は仕事や生活環境に重要な影響を与えている。
【０００３】
中国出願公開第ＣＮ２０２６８１８４６Ｕには、地面カーペット掃除機が公開され、地面を掃除する場合、電動機は動力軸が回動するように連動して、動力軸における凸歯が地面洗浄テープにおける穴に合致し、地面洗浄テープが順次にブラシ、搾水輪、遊動輪を通じてクローラ式になって地面を循環的に洗浄し、地面を洗浄する場合、地面洗浄テープもタンクに回り込んで洗浄され、地面洗浄テープにおける汚れが洗浄ブラシによって掻き取られて、地面洗浄テープにおける円穴を介してタンクの下に落ち込んで沈殿し、水は複数回複数日使用されることができ、地面洗浄テープが水から出る場合、搾水輪によって地面洗浄テープにおける水が搾り出され、ドライヤーは地面を即時に吹き乾かし、カーペットを掃除する場合、掃除機や回転ブラシを選択的に取り付けてよく、回転ブラシがカーペットのパイルの間の汚れを掻き取り、掃除機が汚れを即時に吸走し、地面洗浄テープがまたカーペットの表面を擦り洗う。
【０００４】
中国公開第ＣＮ１０７６６１０７２Ａには、タンク（１）と、支持板（４）と、シュラウド（１９）と、の３つの部分を含むモップを自動的に洗浄しモップ掛けの水跡を除去する地面モップ装置が公開される。一、タンク（１）の底部に細長いパイルモップ（１６）を有する回転盤（１５）が設けられる。二、支持板（４）は、タンク（１）の内部の両側に設けられ、上端に従動タイミングベルトローラ（８）及びスクリーンメッシュロール（１１）が取り付けられ、下端に能動タイミングベルトローラ（７）が取り付けられ、前端に２つの従動タイミングベルトローラ（８）が取り付けられる。５つのロールにタイミングベルト（１２）が取り付けられ、タイミングベルト（１２）の表面にモップ掛けの布（１３）が設けられる。三、シュラウド（１９）に、モップ装置を運行させるための４つのホイールが設けられる。モップ掛けの場合、能動タイミングベルトローラ７は、タイミングベルト（１２）が回動するように連動し、モップ掛けの布（１３）で地面をモップ掛けし、細長いパイルモップ（１６）でモップ掛けの水跡を除去する。
【０００５】
米国出願公開第ＵＳ２０１５０２２３６６４Ａ１号には、清掃布が公開され、特に、モップのベースに確実に強固に固定されるように特別な接続装置が配置され、モップのベースに好適に取り付けられる床面清掃布に関する。
【０００６】
しかし、従来の床面清掃装置には若干の欠点があり、床洗浄の清潔度の向上が望まれることや、自分で能動的に清掃できないことについては、最も重要な問題は、床面を洗浄した後で、何れも対応する雑巾を手動で洗浄する必要があり、二次汚染となり、これに対して、人々はスマート製品に対する心理的ギャップを持つようになることにある。
【発明の概要】
【発明が解決しようとする課題】
【０００７】
これに鑑みて、仕事する間に自体を自動的に洗浄することができ、床面を洗浄した後で、使用者が雑巾を洗浄したり使い捨て雑巾を交換したりしないことを完全に達成し、二次汚染無しに真の清潔を達成する床洗浄装置を提供する必要がある。
【課題を解決するための手段】
【０００８】
本発明は、
タンク本体と、
前記タンク本体に巻回される清掃布と、
前記タンク本体の内側に配置されて、清掃布をサポートするための複数の支持フレームと伝動軸と、
前記伝動軸に接続されて、前記清掃布が前記タンク本体で循環的に移動するように駆動する駆動機構と、
前記清掃布の上方に設けられて、清掃布の表面の汚れをクリーニングするためのクリーニング機構と、
を備える床洗浄装置を保護する。
【０００９】
更に、前記伝動軸の側に設けられて、清掃布を搾るための搾水棒を更に備える。
【００１０】
更に、前記駆動機構は、モータを含む。
【００１１】
更に、前記クリーニング機構は、前記清掃布の表面に貼り合わせられるクリーニングブラシを含む。
【００１２】
更に、前記クリーニング機構は、前記清掃布の中部に位置する。
【００１３】
更に、前記清掃布の前記伝動軸に接触する側面に歯付ベルトが設けられ、前記伝動軸の両端に前記歯付ベルトに対応する凹溝が設けられる。
【００１４】
更に、前記清掃布は、タンク本体の表面から突出するように、前記タンク本体の底部に合わせて設けられる。
【００１５】
更に、前記搾水棒及び伝動軸と前記タンク本体との接続形態としては、軸受接続を含む。
【００１６】
更に、前記タンク本体は、汚水タンクと浄水タンクを含む。
【００１７】
更に、前記タンク本体は、取り外し可能な構造であり、又は前記床洗浄装置と一体構造を形成する。
【発明の効果】
【００１８】
本発明の床洗浄装置を実施すれば、少なくとも下記の有益な効果を有する。
【００１９】
床面を洗浄する間に清掃布を自動的に洗浄することができ、床面を洗浄した後で、使用者が雑巾を洗浄したり使い捨て雑巾を交換したりしないことを完全に達成し、二次汚染無しに真の清潔を達成する。
【図面の簡単な説明】
【００２０】
本発明の実施例又は従来技術の技術案をより明瞭に説明するために、以下に実施例に使用される図面を簡単に説明する。明らかに、下記の説明における添付図面は単に本発明のいくつかの実施例であり、当業者であれば、創造的な工夫をせずに、これらの添付図面に示す構造に基づいて、他の添付図面を取得することもできる。
【００２１】
【図１】本発明の床洗浄装置の実施例１の構造の模式図である。
【図２】本発明の床洗浄装置の実施例１の構造の平面図である。
【図３】本発明の床洗浄装置の実施例１の構造の断面図である。
【図４】本発明の床洗浄装置の実施例１の外部構造の模式図である。
【図５】本発明の床洗浄装置の実施例２の構造の模式図である。
【図６】本発明の床洗浄装置の清掃布の構造の部分模式図である。
【００２２】
本発明の目的の達成、機能特徴及びメリットについては、実施例に合わせて、添付図面を参照して更に説明する。
【発明を実施するための形態】
【００２３】
以下、本発明の実施例における添付図面に合わせて、本発明の実施例における技術案について明確で完璧に説明するが、明らかに、説明された実施例は全ての実施例ではなく、単に本発明の一部の実施例である。本発明における実施例について、当業者であれば、創造的な工夫をせずに得られた全ての他の実施例も、本発明の保護する範囲に属する。
【００２４】
なお、本発明の実施例における全ての方向的指示（例えば、上、下、左、右、前、後等）は、特定のある形態（添付図面に示すように）での各部材同士の相対的位置関係、運動状況等を解釈するためのものだけであるが、前記特定の形態が変わると、前記方向的指示もそれに応じて変わる。
【００２５】
また、本発明において、「第１の」、「第２の」等についての説明は、単に説明するためのものであり、その相対的な重要性を指示または暗示するか、或いは示された技術的特徴の数を黙示的に指示すると理解してはいけない。従って、「第１の」、「第２の」で限定された特徴は、少なくとも一つの当該特徴を明示又は黙示的に含むことができる。また、明細書にわたって、「及び/又は」は、３つの場合を含み、Ａ及び/又はＢを例として、Ａ技術案、Ｂ技術案、及びＡとＢとが同時に満たされる技術案を含む。また、各実施例の間の技術案を相互に結合できるものとするが、当業者が実現できることをベースとし、技術案の結合に相互矛盾或いは実現不能が現れた時、この技術案の結合が存在せず、本発明が請求する保護範囲外にあると考える。
【００２６】
実施例１
【００２７】
図１〜図４に示すように、床洗浄装置は、タンク本体１と、清掃布３と、駆動機構２と、クリーニング機構５と、を備える。
【００２８】
タンク本体１は洗浄液を収容することに用いられ、清掃布３はタンク本体１に巻回され、タンク本体１の外側壁が清掃布３に貼り合わせる。複数の支持フレームと伝動軸は、タンク本体１の内側に配置されて、清掃布３をサポートすることに用いられ、支持フレームはタンク本体１の両側の底部に配置されて、清掃布３の運動軌跡を制限することに用いられ、これにより、清掃布３は、タンク本体１の内側を移動する場合、常に洗浄液により沈められ、清掃布３の表面の汚れの洗浄液への拡散に寄与し、清掃布３の次のクリーニングを容易にする。クリーニング機構５は、清掃布３の上方に設けられて、清掃布３に接触し、清掃布３が移動する場合、清掃布３の表面の汚れを除去して、床面を洗浄しながら、自体を自動的に洗浄する効果を達成する。
【００２９】
タンク本体１の材料は、ボリエチレン（ｐｏｌｙｅｔｈｙｌｅｎｅ；ＰＥ）、ポリエチレンテレフタレート（ｐｏｌｙｅｔｈｙｌｅｎｅ  ｔｅｒｅｐｈｔｈａｌａｔｅ；ＰＥＴ）、ポリスチレン（ｐｏｌｙｓｔｙｒｅｎｅ；ＰＳ）、ポリカーボネート（ｐｏｌｙｃａｒｂｏｎａｔｅ；ＰＣ）、アクリロニトリル・ブタジエン・スチレン共重合体（Ａｃｒｙｌｏｎｉｔｒｉｌｅ‐ｂｕｔａｄｉｅｎｅ‐ｓｔｙｒｅｎｅ  Ｃｏｐｏｌｙｍｅｒ；ＡＢＳ）であり、ポリ塩化ビニル（ｐｏｌｙｖｉｎｙｌ  ｃｈｌｏｒｉｄｅ；ＰＶＣ）、ポリプロピレン（ｐｏｌｙｐｒｏｐｙｌｅｎｅ；ＰＰ）、ポリアミド（ｐｏｌｙａｍｉｄｅ；ＰＡ）、パラホルムアルデヒド（Ｐａｒａｆｏｒｍａｌｄｅｈｙｄｅ；ＰＯＭ）、ＮＨＰＰのような酸及びアルカリ腐食抵抗性の材料であってもよい。その長さは２ｍｍ〜１０００ｍｍであり、幅は２ｍｍ〜１０００ｍｍであり、高さは２ｍｍ〜１０００ｍｍである。
【００３０】
洗浄布の主な材質は、（繊維の種類によると）Ａ．綿織物、Ｂ．毛織物、Ｃ．絹織物、Ｄ．麻織物のような天然繊維や、Ａ．ポリエステル繊維、Ｂ．綿繊維（ナイロン）、Ｃ．アクリル繊維、Ｄ．ビニロン、Ｅ．ポリプロピレン繊維、Ｆ．ポリ塩化ビニール繊維のような化学繊維である。
【００３１】
図１に示すように、１つの実施例において、伝動軸の側に設けられて、清掃布３を搾るための搾水棒４を更に備え、具体的には、搾水棒４が第１の伝動軸６側の水平方向に設けられて、清掃布３がタンク本体１から運動して出る場合、搾水棒４と第１の伝動軸６により搾られ、清掃布３における洗浄液の一部が除去され、これにより、清掃布３がタンク本体１から運動して出た後できれいな清掃布３になり且つ一定の洗浄液を持ち、床面の循環的な洗浄を容易にするだけではなく、且つ洗浄液を浪費することはない。
【００３２】
搾水棒４は、熱可塑性エラストマー（ＴＰＥ、ＴＰＲ、ＴＰＵ、ＴＰＶ）、ゴム及びシリコンを含むが、それらに限定されない。具体的な適用において、搾水棒４と第１の伝動軸６との距離は、０ｍｍ〜５０ｍｍである。
【００３３】
更に、清掃布３の受けた引張力を低下させるために、搾水棒４及び伝動軸とタンク本体１との接続形態としては、軸受接続を含む。もちろん、例えば、スリーブの形態での直接接触等のような、搾水棒４と伝動軸との回転を達成可能な他の接続形態も、本発明の床洗浄装置に好適に用いられる。
【００３４】
説明すべきなのは、本発明における駆動機構２は、各種のモータに限定されなく、ギアケースであってもよい。駆動機構２としてモータを選用する場合、直流モータ、非同期モータ、同期モータの１つであってよい。
【００３５】
図３に示すように、クリーニング機構５は、クリーニングブラシを含み、理解すべきなのは、前記床洗浄装置が作動する場合、清掃布３の表面に接触すべきであり、清掃布３が移動する場合、清掃布３の表面の汚れを除去して、清掃布３をクリーニングすることができる。
【００３６】
更に、クリーニング機構５は、清掃布３の中部に位置し、具体的には、支持バー１２によってタンク本体１の内側の中部に固定され、底部が清掃布３の表面に接触し、この場合、ちょうどタンク本体１の内側の清掃布３の中間位置にあり、これにより、清掃布３は、タンク本体１の内側に入ると、まず洗浄液に接触するので、清掃布３における汚れが溶解され、クリーニング機構５のクリーニング效率とクリーニング効果の向上に有利であり、その同時に、クリーニングされた清掃布３が更に洗浄液を移動することができるので、洗浄液の清掃布３に対する更なるリンスに有利であり、清掃布３の清潔度を向上させ、更に、床面に対する洗浄の清潔度を向上させる。また、クリーニングされた清掃布３と第１の伝動軸６との間に大きなピッチがあり、大きな張力に対応することができ、装置が運行中に故障する場合、清掃布３の受けた損傷を低下させることができ、床洗浄装置の長寿命化に有利である。
【００３７】
本発明において、クリーニング機構５の主材料としては、Ａ．ポリエステル繊維、Ｂ．綿繊維、Ｃ．アクリル繊維、Ｄ．ビニロン、Ｅ．ポリプロピレン繊維、Ｆ．ポリ塩化ビニール繊維、Ｇ．セラミックス、Ｈ．金属系又は合金系の製品であってよい。
【００３８】
図６に示すように、清掃布３の伝動軸に接触する側面に歯付ベルト３１が設けられ、この実施例において、理解すべきなのは、伝動軸が清掃布３をよりよく駆動するように、伝動軸の両端に歯付ベルト３１に対応する凹溝が設けられるべきである。
【００３９】
従って、清掃布３の伝動軸に接触する側面は、回転効果を同期的に達成するように、粗面化されてもよい。
【００４０】
更に、駆動機構２の出力端と清掃布３の内側とを結合させることで、清掃布の回転速度及び床面に対する接触力を制御することができ、説明すべきなのは、駆動機構２としてギアケースが選用される場合、具体的なギヤの構造や大きさは全て制限されないが、ギアケースと清掃布３との結合による回転速度の範囲は０．０１メートル／秒間〜１００メートル／秒間である。
【００４１】
図３に示すように、清掃布３は、タンク本体１の表面から突出するように、タンク本体１の底部に合わせて設けられ、具体的には、清掃布３のタンク本体１の底部から突出する部分の高さは０．１ｍｍ〜２ｍｍであり、この実施例において、タンク本体１の大きさ及び清掃布３の床面に接触する側の粗面さにより、床面をクリーニングするための摩擦力が形成され、摩擦力の大きさは０．１Ｎ〜１０００Ｎである。
【００４２】
実施例２
【００４３】
図５に示すように、床面の洗浄及び清掃布３の自体洗浄に対するより高い清潔度の要求を達成するように、タンク本体１は、汚水タンク２２と浄水タンク２３に分けられ、従って、搾水棒、支持フレーム及び伝動軸を追加する必要があり、これにより、清掃布３は、汚水タンク２２内でクリーニングされた後で、浄水タンク２３によって更にクリーニングされ、浄水タンク２３から運動して出た後の清潔度がより高く、よりきれいに清掃することに、実施例と異なっている。
【００４４】
説明すべきなのは、本発明のタンク本体１と駆動機構２には、２つの形態があってよい。一、タンク本体１、駆動機構２及びタンク本体１の外延部が完璧なモジュールを形成する。二、タンク本体１が着脱自在となるように、タンク本体１と駆動機構２とを分けてよい。第２の形態の優勢としては、異なる床面の構造によって、異なるクリーニング装置でクリーニングする必要があり、第２の組立形態を採用すれば、異なる床面によって異なる清掃布３を作って複数のタンク本体１に取り付けることができるので、異なる床面を洗浄する場合、直接タンク本体１を交換すればよく、更に使用コストを節約する。
【００４５】
更に説明すべきなのは、本発明によれば、床面に対する全範囲の清潔殺菌を達成するように、消毒液をタンク本体１に加えてもよく、関連する全ての材料には酸及びアルカリ腐食抵抗性材料が含まれている。
【００４６】
図２、図３に示すように、本発明を実施する場合、本発明の床洗浄装置を清掃設備（手持ち式床洗浄機、スマート掃除機、工業用掃除機等）の底部に取り付けて、バックカバー１３をタンク本体１に取り付け、清掃設備は、働き始めると、電力を提供して、駆動機構２に作用し、駆動機構２が清掃布３と伝動軸を同時に駆動し、清掃布３をタンク本体１の外側及び内部で循環的に作動させる。この過程中、清掃布３は、順次に第１の伝動軸６、第２の伝動軸７、第４の伝動軸９、第３の伝動軸８を回り込み、その床面に近い一面が床面に接触して作用し、床面を清掃した後で、タンク本体１の内部に移行して、第１の支持フレーム１０と第２の支持フレーム１１によって清掃液面下に固定され、運転の過程中にクリーニング機構５によってクリーニングされ、床面に付ける汚れをきれいに洗浄した後で、また搾水棒４と第１の伝動軸６との隙間によって一部の汚水が除去され、タンク本体１から出る場合、既に水分を含有するきれいな清掃布になり、出てからまた伝動軸によってタンク本体１の底部（床面に接触する）に移行して作動し、このように、床面を繰り返して洗浄する。
【００４７】
図５に示すように、本発明を実施する場合、タンク本体１は、汚水タンク２２と浄水タンク２３に分けられ、同時に、第２の搾水棒１４、第５の伝動軸１５、第３の支持フレーム１６及び支持フレーム１７が追加され、清掃布３は、汚水タンク２２から運転する場合、第２の搾水棒１４と第５の伝動軸１５により搾られ、その中の汚水が除去されて汚水タンク２２内に留まり、浄水タンク２３内の洗浄液への汚染が低減し、床に対する洗浄及び清掃布３の自体洗浄の清潔度の向上に有利である。
【００４８】
洗浄効果を向上させるために、タンク本体１は、複数の汚水タンク２２と浄水タンク２３に分けられてもよいことが理解できる。
【００４９】
本発明の実施例を実施する場合、タンク本体１には水入口と水出口があるべきであるが、水入口と水出口の設置位置は制限されないことが理解されるべきである。
【００５０】
以上の記載は、本発明の好適な実施例に過ぎず、本発明の請求の範囲を限定するものではなく、本発明の明細書及び図面の内容を利用して行った等価構造又はその他の関連する技術分野に直接、間接に使用したものは、いずれも本発明の請求の範囲内にあると見なす。
【符号の説明】
【００５１】
１  タンク本体
２  駆動機構
３  清掃布
４  第１の搾水棒
５  クリーニング機構
６  第１の伝動軸
７  第２の伝動軸
８  第３の伝動軸
９  第４の伝動軸
１０  第１の支持フレーム
１１  第２の支持フレーム
１２  支持バー
１３  バックカバー
１４  第２の搾水棒
１５  第５の伝動軸
１６  第３の支持フレーム
１７  支持フレーム
２２  汚水タンク
２３  浄水タンク
３１  歯付ベルト
【要約】
【課題】床洗浄装置を公開する。
【解決手段】タンク本体と、前記タンク本体に巻回される清掃布と、前記タンク本体の内側に配置されて、清掃布をサポートするための複数の支持フレームと伝動軸と、前記伝動軸に接続されて、前記清掃布が前記タンク本体で循環的に移動するように駆動する駆動機構と、前記清掃布の上方に設けられて、清掃布の表面の汚れをクリーニングするためのクリーニング機構と、を備える床洗浄装置。本発明の技術案によれば、床面を洗浄する間に清掃布を自動的に洗浄することができ、床面を洗浄した後で、使用者が雑巾を洗浄したり使い捨て雑巾を交換したりしないことを完全に達成し、二次汚染無しに真の清潔を達成する。
【選択図】図１【図１】
0006889316.tif 000002
【図２】
0006889316.tif 000003
【図３】
0006889316.tif 000004
【図４】
0006889316.tif 000005
【図５】
0006889316.tif 000006
【図６】
0006889316.tif 000007